(57)【要約】      （修正有）【課題】子供用椅子において、座板の高さを連続的に簡単に調節する。【解決手段】左右の脚１に連結部材２１を取り付け、両連結部材２１に座板３付きの梁部材３１を掛け渡した子供用椅子である。連結部材３１は、脚１にＣ形断面形状の嵌合部２２を嵌合し、嵌合部２２の両開放端に板状部を連結した。両板状部を近付けると、嵌合部２２が脚１に固定される。梁部材３１は、両連結部材の板状部の間に座板３付きの支持筒３２を挟み、板状部と支持筒３２に締付け軸を貫通し、締付け軸の一方の端に抜け止め片３５を固定し、締付け軸の他方の端をネジ部にしてネジ部に蝶ナット３７を螺合した。蝶ナット３７を締めると、一方の両板状部が近付くと共に、他方の両板状部が近付き、梁部材３１が脚１に固定される。蝶ナット３７を緩めると、梁部材３１が移動可能になる。【選択図】図２
0003107587.tif 000002
【実用新案登録請求の範囲】
【請求項１】
左右の脚にそれぞれ座板用の連結部材を取り付け、左右の連結部材に座板用の梁部材を掛け渡して取り付け、梁部材に座板を取り付け、座板の高さを調節可能にした子供用椅子であって、
座板の高さ調節機構は、左右の連結部材を脚に固定する位置を脚に沿って移動可能にする機構であり、左右の連結部材と梁部材からなり、
左右の連結部材は、それぞれ、脚にＣ形断面形状の嵌合部を脚に沿って移動可能に嵌合し、嵌合部の両側の開放端にそれぞれ板状部を連結し、両板状部にそれぞれ軸孔を貫通しており、２枚の板状部を近付けると、嵌合部の径が縮小し、嵌合部が脚に締め付けられて固定される構成にし、
梁部材は、左右の連結部材の板状部の間に、座板に固定した支持筒を挟み、左右の連結部材の板状部の軸孔と支持筒の中心孔に締付け軸を貫通し、締付け軸の左右の端をそれぞれ左右の連結部材の板状部の外側に突出し、締付け軸の一方の端に抜け止め片を取り付け、締付け軸の他方の端をネジ部にしてこのネジ部にナットを螺合しており、ナットを締めると、抜け止め片と支持筒との間に位置する連結部材の２枚の板状部が近付くと共に、支持筒とナットとの間に位置する連結部材の２枚の板状部が近付く構成にし、
梁部材のナットを締めると、左右の連結部材が左右の脚に固定され、座板付きの梁部材が固定され、ナットを緩めると、左右の連結部材の固定が解除され、座板付きの梁部材が脚に沿って移動可能になる構成にしたことを特徴とする子供用椅子。
【請求項２】
左右の脚にそれぞれ足載せ板用の連結部材を取り付け、左右の足載せ板用の連結部材に足載せ板用の梁部材を掛け渡して取り付け、足載せ板用の梁部材に足載せ板を取り付け、足載せ板の高さを調節可能にし、
足載せ板の高さ調節機構は、左右の足載せ板用の連結部材を脚に固定する位置を脚に沿って移動可能にする機構であり、左右の足載せ板用の連結部材と足載せ板用の梁部材からなり、
左右の足載せ板用の連結部材は、それぞれ、脚の縦棒にＣ形断面形状の嵌合部を脚に沿って移動可能に嵌合し、嵌合部の両側の開放端にそれぞれ板状部を連結し、両板状部にそれぞれ軸孔を貫通しており、２枚の板状部を近付けると、嵌合部の径が縮小し、嵌合部が脚に締め付けられて固定される構成にし、
足載せ板用の梁部材は、左右の連結部材の板状部の間に、足載せ板に固定した支持筒を挟み、左右の連結部材の板状部の軸孔と支持筒の中心孔に締付け軸を貫通し、締付け軸の左右の端をそれぞれ左右の連結部材の板状部の外側に突出し、締付け軸の一方の端に抜け止め片を取り付け、締付け軸の他方の端をネジ部にしてこのネジ部にナットを螺合しており、ナットを締めると、抜け止め片と支持筒との間に位置する連結部材の２枚の板状部が近付くと共に、支持筒とナットとの間に位置する連結部材の２枚の板状部が近付く構成にし、
足載せ板用の梁部材のナットを締めると、左右の足載せ板用の連結部材が左右の脚の縦棒に固定され、足載せ板付きの梁部材が固定され、足載せ板用の梁部材のナットを緩めると、左右の足載せ板用の連結部材の固定が解除され、足載せ板付きの梁部材が脚に沿って移動可能になる構成にしたことを特徴とする請求項１に記載の子供用椅子。
【考案の詳細な説明】
【技術分野】
【０００１】
本考案は、座板の高さ又は座板の高さと足載せ板の高さを調節可能にした子供用椅子に関する。
【背景技術】
【０００２】
子供用椅子には、椅子を使用する子供の大きさに合わせて、又は、椅子を使用している子供の成長に合わせて、座板の高さを調節可能にした椅子がある。
【０００３】
市販中の子供用椅子は、左右の脚に座板と背もたれをそれぞれ掛け渡して取り付け、座板の高さを調節可能にしている。座板の高さ調節機構は、左右の板状の脚の内側に、それぞれ、複数の差込溝を上下方向に間隔を置いて前後方向に沿って形成し、左右の同じ高さの差込溝に座板の左右の端を差し込んで座板を左右の脚に掛け渡して取り付けている。座板の高さを調節するときには、座板を左右の脚の差込溝から前側に抜き取り、その座板をその差込溝の上側又は下側位置の差込溝に前側から差し込んで取り付ける。
【０００４】
特許文献１に開示された子供用椅子は、一本の柱に座板と背もたれをそれぞれ高さ調節可能に取り付けている。座板の高さ調節機構は、柱の中央部にスライド部の端を嵌合してボルトで固定し、柱にスライド部を昇降可能に片持ち梁状に取り付け、スライド部の上に座板を固定している。座板の高さを調節するときには、ボルトを緩めて座板付きのスライド部を上昇又は下降し、ボルトを締めて座板を固定する。
【０００５】
【特許文献１】実開平６−８６５９５号公報
【考案の開示】
【考案が解決しようとする課題】
【０００６】
前者の子供用椅子は、座板の高さの調節に、上下方向に間隔を置いて並んだ差込溝を使用する。座板の高さは、段階的に調節され、連続的には調節されない。また、大きな座板を抜き差しする作業は、容易ではなく、多くの手間が掛かる。
【０００７】
後者の子供用椅子は、一本の柱に座板付きのスライド部を昇降可能に片持ち梁状に取り付けている。柱とスライド部との取付け部は、一個所であり、座板に加わる荷重の全部を支えることになる。その荷重に耐える実用的な構造にするのは容易ではない。また、その荷重による座板の落下を防止するため、ボルトを強固に締める作業は、容易ではなく、多くの手間が掛かる。
【０００８】
足載せ板付きの子供用椅子においては、座板の高さのみならず、足載せ板の高さも調節可能にすることが望まれる。
【課題を解決するための手段】
【０００９】
１）左右の脚にそれぞれ座板用の連結部材を取り付け、左右の連結部材に座板用の梁部材を掛け渡して取り付け、梁部材に座板を取り付け、座板の高さを調節可能にした子供用椅子であって、
座板の高さ調節機構は、左右の連結部材を脚に固定する位置を脚に沿って移動可能にする機構であり、左右の連結部材と梁部材からなり、
左右の連結部材は、それぞれ、脚にＣ形断面形状の嵌合部を脚に沿って移動可能に嵌合し、嵌合部の両側の開放端にそれぞれ板状部を連結し、両板状部にそれぞれ軸孔を貫通しており、２枚の板状部を近付けると、嵌合部の径が縮小し、嵌合部が脚に締め付けられて固定される構成にし、
梁部材は、左右の連結部材の板状部の間に、座板に固定した支持筒を挟み、左右の連結部材の板状部の軸孔と支持筒の中心孔に締付け軸を貫通し、締付け軸の左右の端をそれぞれ左右の連結部材の板状部の外側に突出し、締付け軸の一方の端に抜け止め片を取り付け、締付け軸の他方の端をネジ部にしてこのネジ部にナットを螺合しており、ナットを締めると、抜け止め片と支持筒との間に位置する連結部材の２枚の板状部が近付くと共に、支持筒とナットとの間に位置する連結部材の２枚の板状部が近付く構成にし、
梁部材のナットを締めると、左右の連結部材が左右の脚に固定され、座板付きの梁部材が固定され、ナットを緩めると、左右の連結部材の固定が解除され、座板付きの梁部材が脚に沿って移動可能になる構成にしたことを特徴とする。
【００１０】
２）子供用椅子において、座板の外に足載せ板も高さ調節可能に設け、足載せ板の高さ調節機構を座板の高さ調節機構と同様にした。
【００１１】
即ち、上記１）の子供用椅子において、
左右の脚にそれぞれ足載せ板用の連結部材を取り付け、左右の足載せ板用の連結部材に足載せ板用の梁部材を掛け渡して取り付け、足載せ板用の梁部材に足載せ板を取り付け、足載せ板の高さを調節可能にし、
足載せ板の高さ調節機構は、左右の足載せ板用の連結部材を脚に固定する位置を脚に沿って移動可能にする機構であり、左右の足載せ板用の連結部材と足載せ板用の梁部材からなり、
左右の足載せ板用の連結部材は、それぞれ、脚の縦棒にＣ形断面形状の嵌合部を脚に沿って移動可能に嵌合し、嵌合部の両側の開放端にそれぞれ板状部を連結し、両板状部にそれぞれ軸孔を貫通しており、２枚の板状部を近付けると、嵌合部の径が縮小し、嵌合部が脚に締め付けられて固定される構成にし、
足載せ板用の梁部材は、左右の連結部材の板状部の間に、足載せ板に固定した支持筒を挟み、左右の連結部材の板状部の軸孔と支持筒の中心孔に締付け軸を貫通し、締付け軸の左右の端をそれぞれ左右の連結部材の板状部の外側に突出し、締付け軸の一方の端に抜け止め片を取り付け、締付け軸の他方の端をネジ部にしてこのネジ部にナットを螺合しており、ナットを締めると、抜け止め片と支持筒との間に位置する連結部材の２枚の板状部が近付くと共に、支持筒とナットとの間に位置する連結部材の２枚の板状部が近付く構成にし、
足載せ板用の梁部材のナットを締めると、左右の足載せ板用の連結部材が左右の脚の縦棒に固定され、足載せ板付きの梁部材が固定され、足載せ板用の梁部材のナットを緩めると、左右の足載せ板用の連結部材の固定が解除され、足載せ板付きの梁部材が脚に沿って移動可能になる構成にしたことを特徴とする子供用椅子。
【考案の効果】
【００１２】
座板の高さを調節する場合は、座板用の梁部材のナットを緩める。すると、左右の座板用の連結部材と座板付きの梁部材が移動可能になる。そこで、それらを脚に沿って上側又は下側に移動する。次に、ナットを締める。すると、左右の座板用の連結部材と座板付きの梁部材が固定される。座板は、高さが連続的に簡単に調節される。
【００１３】
足載せ板の高さを調節する場合は、足載せ板用の梁部材のナットを緩める。すると、左右の足載せ板用の連結部材と足載せ板付きの梁部材が移動可能になる。そこで、それらを脚に沿って上側又は下側に移動する。次に、足載せ板用の梁部材のナットを締める。すると、左右の足載せ板用の連結部材と足載せ板付きの梁部材が固定される。足載せ板は、高さが連続的に簡単に調節される。
【考案を実施するための最良の形態】
【００１４】
子供用椅子は、図１と図２に示すように、左右の脚１の間に、背もたれ２、座板３と足載せ板４を上段、中段と下段位置に設けている。背もたれ２の前側位置には、テーブル５を取外し可能に設けている。座板３と足載せ板４は、それぞれ、高さを調節可能にしている。
【００１５】
左右の脚１は、それぞれ、パイプを折り曲げて横棒１１と縦棒１２を形成している。横棒１１は、床上に前後方向に置かれ、前端に縦棒１２の下端を連結している。縦棒１２は、後側に傾いている。左右の脚１の横棒１１には、連結棒１３を左右方向に掛け渡して連結している。
【００１６】
座板３の取付け構造は、左右の脚１の縦棒１２に、それぞれ、座板用の連結部材２１を取り付けている。左右の連結部材２１には、座板用の梁部材３１を掛け渡して取り付けている。梁部材３１の上には、座板３を取り付けている。
【００１７】
座板３の高さ調節機構は、左右の連結部材２１を脚１の縦棒１２に固定する位置を縦棒１２に沿って移動可能にする機構である。この機構は、左右の連結部材２１と梁部材３１からなる。
【００１８】
左右の連結部材２１は、図３に示すように、それぞれ、縦棒１２の中央部に嵌合部２２を縦棒１２に沿って移動可能に嵌合している。嵌合部２２は、縦棒１２に板を一回り弱巻き付けた形状のＣ形断面形状であり、その向い合った開放端を後側に配置している。嵌合部２２の両側の開放端には、それぞれ、板状部２３を連結している。２枚の板状部２３は、嵌合部２２の後側位置に間隔を置いて縦に配置している。２枚の向い合った板状部２３を近付けると、嵌合部２２の径が縮小し、嵌合部２２が縦棒１２に締め付けられて固定される。２枚の並列した板状部２３は、それぞれ、中央部に軸孔を貫通している。
【００１９】
梁部材３１は、左右の連結部材２１の板状部２３の間に、座板３に固定した支持筒３２を挟んでいる。支持筒３２は、左右の端に、それぞれ、当て板３３を固定している。左右の当て板３３は、それぞれ、左右の連結部材２１の内側の板状部２３に重なっている。また、左右の当て板３３は、それぞれ、支持筒３２と同心に軸孔を貫通している。左右の連結部材２１の両板状部２３の軸孔、支持筒３２の中心孔と左右の当て板３３の軸孔には、締付け軸３４を貫通している。締付け軸３４は、左右の端を、それぞれ、左右の連結部材２１の板状部２３の外側に突出している。締付け軸３４の一方の端には、抜け止め片３５を固定している。抜け止め片３５は、一方の連結部材２１の外側の板状部２３に接している。締付け軸３４の他方の端には、軸孔付きの間隔保持片３６を貫通している。締付け軸３４の他方の端は、ネジ部にしてこのネジ部に蝶ナット３７を螺合している。蝶ナット３７は、間隔保持片３６に接している。間隔保持片３６は、他方の連結部材２１の外側の板状部２３に接している。
【００２０】
蝶ナット３７を締めると、抜け止め片３５と支持筒３２との間に位置する連結部材２１の２枚の板状部２３は、抜け止め片３５と当て板３３で強く挟まれ、近付く。同時に、支持筒３２と蝶ナット３７との間に位置する連結部材２１の２枚の板状部２３も、当て板３３と間隔保持片３６で強く挟まれ、近付く。
【００２１】
なお、座板３付きの支持筒３２がその中心軸の周りに回転しようとすると、当て板３３と連結部材２１の板状部２３との間の抵抗が回り止めになる。その上、当て板３３は、回転しようとすると、連結部材２１の嵌合部２２に干渉し、回り止めになる。抜け止め片３５付きの締付け軸３４がその中心軸の周りに回転しようとすると、抜け止め片３５と連結部材２１の板状部２３との間の抵抗が回り止めになる。その上、抜け止め片３５は、回転しようとすると、連結部材２１の嵌合部２２に干渉し、回り止めになる。
【００２２】
座板３の高さ調節機構において、蝶ナット３７を締めると、左右の連結部材２１が左右の脚１の縦棒１２に固定され、座板３付きの梁部材３１が固定される。蝶ナット３７を緩めると、左右の連結部材２１の固定が解除され、座板３付きの梁部材３１が縦棒１２に沿って移動可能になる。座板３の高さを調節するときは、蝶ナット３７を緩め、左右の連結部材２１と座板３付きの梁部材３１を縦棒１２に沿って上側又は下側に移動する。座板３の高さを変更したところで、蝶ナット３７を締め、座板３の変更後の高さを固定する。
【００２３】
なお、一個の蝶ナット３７を締めると、左右の両側の連結部材２１が固定される。一個の蝶ナット３７を緩めると、左右の両側の連結部材２１の固定が解除される。
【００２４】
足載せ板４の取付け構造は、座板３のそれと同様に、左右の脚１の縦棒１２に、それぞれ、足載せ板用の連結部材４１を取り付けている。左右の連結部材４１には、足載せ板用の梁部材５１を掛け渡して取り付けている。梁部材５１の上には、足載せ板４を取り付けている。
【００２５】
足載せ板４の高さ調節機構は、座板３のそれと同様に、左右の連結部材４１を脚１の縦棒１２に固定する位置を縦棒１２に沿って移動可能にする機構である。この機構は、左右の連結部材４１と梁部材５１からなる。
【００２６】
左右の連結部材４１は、図４に示すように、それぞれ、縦棒１２の下部に嵌合部４２を縦棒１２に沿って移動可能に嵌合している。嵌合部４２は、縦棒１２に板を一回り弱巻き付けた形状のＣ形断面形状であり、その向い合った開放端を後側に配置している。嵌合部４２の両側の開放端には、それぞれ、板状部４３を連結している。２枚の板状部４３は、嵌合部４２の後側位置に間隔を置いて縦に配置している。２枚の向い合った板状部４３を近付けると、嵌合部４２の径が縮小し、嵌合部４２が縦棒１２に締め付けられて固定される。２枚の並列した板状部４３は、それぞれ、中央部に軸孔を貫通している。
【００２７】
梁部材５１は、左右の連結部材４１の板状部４３の間に、足載せ板４に固定した支持筒５２を挟んでいる。支持筒５２は、左右の端に、それぞれ、当て板５３を固定している。左右の当て板５３は、それぞれ、左右の連結部材４１の内側の板状部４３に重なっている。また、左右の当て板５３は、それぞれ、支持筒５２と同心に軸孔を貫通している。左右の連結部材４１の両板状部４３の軸孔、支持筒５２の中心孔と左右の当て板５３の軸孔には、締付け軸５４を貫通している。締付け軸５４は、左右の端を、それぞれ、左右の連結部材４１の板状部４３の外側に突出している。締付け軸５４の一方の端には、抜け止め片５５を固定している。抜け止め片５５は、一方の連結部材４１の外側の板状部４３に接している。締付け軸５４の他方の端には、軸孔付きの間隔保持片５６を貫通している。締付け軸５４の他方の端は、ネジ部にしてこのネジ部に蝶ナット５７を螺合している。蝶ナット５７は、間隔保持片５６に接している。間隔保持片５６は、他方の連結部材４１の外側の板状部４３に接している。
【００２８】
蝶ナット５７を締めると、抜け止め片５５と支持筒５２との間に位置する連結部材４１の２枚の板状部４３は、抜け止め片５５と当て板５３で強く挟まれ、近付く。同時に、支持筒５２と蝶ナット５７との間に位置する連結部材４１の２枚の板状部４３も、当て板５３と間隔保持片５６で強く挟まれ、近付く。
【００２９】
なお、足載せ板４付きの支持筒５２と抜け止め片５５付きの締付け軸５４の回り止めについても、座板３の高さ調節機構におけるのと同様である。
【００３０】
足載せ板４の高さ調節機構において、蝶ナット５７を締めると、左右の連結部材４１が左右の脚１の縦棒１２に固定され、足載せ板４付きの梁部材５１が固定される。蝶ナット５７を緩めると、左右の連結部材４１の固定が解除され、足載せ板４付きの梁部材５１が縦棒１２に沿って移動可能になる。足載せ板４の高さを調節するときは、蝶ナット５７を緩め、左右の連結部材４１と足載せ板４付きの梁部材５１を縦棒１２に沿って上側又は下側に移動する。足載せ板４の高さを変更したところで、蝶ナット５７を締め、足載せ板４の変更後の高さを固定する。
【００３１】
なお、一個の蝶ナット５７を締めると、左右の両側の連結部材４１が固定される。一個の蝶ナット５７を緩めると、左右の両側の連結部材４１の固定が解除される。
【図面の簡単な説明】
【００３２】
【図１】本考案の実施形態における子供用椅子の側面図。
【図２】同子供用椅子の正面図。
【図３】図１のＡ−Ａ線断面図。
【図４】図１のＢ−Ｂ線断面図。
【符号の説明】
【００３３】
１  脚
２  背もたれ
３  座板
４  足載せ板
５  テーブル
１１  脚の横棒
１２  脚の縦棒
１３  脚の連結棒
２１  座板用の連結部材
２２  座板用の連結部材の嵌合部
２３  座板用の連結部材の板状部
３１  座板用の梁部材
３２  座板用の梁部材の支持筒
３３  座板用の梁部材の当て板
３４  座板用の梁部材の締付け軸
３５  座板用の梁部材の抜け止め片
３６  座板用の梁部材の軸孔付きの間隔保持片
３７  座板用の梁部材の蝶ナット
４１  足載せ板用の連結部材
４２  足載せ板用の連結部材の嵌合部
４３  足載せ板用の連結部材の板状部
５１  足載せ板用の梁部材
５２  足載せ板用の梁部材の支持筒
５３  足載せ板用の梁部材の当て板
５４  足載せ板用の梁部材の締付け軸
５５  足載せ板用の梁部材の抜け止め片
５６  足載せ板用の梁部材の軸孔付きの間隔保持片
５７  足載せ板用の梁部材の蝶ナット
【図１】
0003107587.tif 000003
【図２】
0003107587.tif 000004
【図３】
0003107587.tif 000005
【図４】
0003107587.tif 000006